(57)【特許請求の範囲】
【請求項１】
水平な上面を有するキャスタ付きのワゴン本体と、
前記ワゴン本体の上面上に載置され青果等の商品を陳列する平盤状の商品載置体と、
前記商品載置体の前後方向のほぼ中間箇所と前記ワゴン本体の上面の後端間に揺動可能に連結され、前記商品載置体を前記上面と一致する水平な姿勢にする第１の位置と前記商品載置体の前端を前記上面に接触さた状態で前記上面に対し任意の角度に傾斜させる第２の位置に変位可能に支持する支持機構と、
前記ワゴン本体の上面の前端部に設けられ、前記商品載置体の前端を係止することにより該商品載置体を前記第２の位置に保持する係止機構と、
を備えることを特徴とする商品陳列用ワゴン。
【請求項２】
前記ワゴン本体の前部の内側に位置する上面箇所に所定の範囲に亘り商品載置板が設けられていることを特徴とする請求項１記載の商品陳列用ワゴン。
【請求項３】
前記ワゴン本体の上面の前端に商品脱落防止用の板部材が設けられていることを特徴とする請求項１または２記載の商品陳列用ワゴン。
【請求項４】
前記第２の位置は傾斜角度の異なる複数の段階に調節されるようになっていることを特徴とする請求項１記載の商品陳列用ワゴン。
【発明の詳細な説明】
【０００１】
【発明の属する技術分野】
本発明は、青果等の商品陳列用ワゴンに関し、さらに詳しくは、ワゴン本体上に青果のような商品を陳列する商品載置体を任意の傾斜角度に調節できる商品陳列用ワゴンに関するものである。
【０００２】
【従来の技術】
オレンジやリンゴなどの丸物、ゴボーやねぎなどの長物等の青果を販売に際して使用される商品陳列用ワゴンの商品載置体は、商品の取りやすさ、商品の見やすさ及び少ない商品量でもボリューム感のある陳列が可能なように、任意の傾斜角度に調節できる構成になっている。
従来、このような商品陳列用ワゴンとしては、特開平１１−１２８０３７号公報に示すものが知られている。
以下、この種従来の商品陳列用ワゴンについて、図５を用いて説明する。図５は従来における商品陳列用ワゴンの側面図である。
【０００３】
図５において、商品陳列用ワゴン５０は、自在キャスタ５１付きのワゴン本体５２と、このワゴン本体５２上に傾斜可能に設けられた平板状の商品載置体５３等を備えている。
商品載置体５３は、ワゴン本体５２の上面上に青果等の商品を陳列するためのもので、この商品載置体５３の前端下部はワゴン本体５２上の前部に蝶番等の枢支部材５４により傾動可能に支持され、さらに商品載置体５３の後端寄りの左右両側部には、商品載置体５３をワゴン本体５２の上面に対して任意の角度に傾斜させた状態に保持する細幅の金属板材からなる支え部材５５の一端が揺動可能に連結されている。また、支え部材５５には、複数の係止用切欠き５６が支え部材５５の長手方向に沿って所定の間隔で形成されており、この係止用切欠き５６の任意の係止用切欠き５６をワゴン本体５２の後部支柱５２１に設けた係止ピン５７に係止することにより、商品載置体５３を傾斜した状態に保持するように構成されている。
【０００４】
【発明が解決しようとする課題】
上記のように構成された従来の商品陳列用ワゴンにおいては、係止ピン５７に対する支え分部材５５の係止用切欠き５６の係止位置を変えることにより、商品載置体５３を図５の実線に示す傾斜角度位置Ｐ１、２点鎖線に示す傾斜角度位置Ｐ２等に調節することができるとともに、支え分部材５５の係止用切欠き５６を係止ピン５７に係止されない状態にすれば、図５のＰ３で示す位置、すなわち商品載置体５３がワゴン本体５２の上面上に水平に載置された傾斜角０度の状態に設定することができる。
【０００５】
しかしながら、従来の商品陳列用ワゴンでは、商品載置体５３の前端をワゴン本体５２の前部に枢支部材５４により枢着する構造になっているため、商品載置体５３を２点鎖線に示す傾斜角度位置Ｐ２からワゴン本体５２の上面に水平に載置される傾斜角０度の位置Ｐ３に調節した場合、図５からも明らかなように、ワゴン本体５２の後端から突出する商品載置体５３の後端部分の突出長さが変化し商品陳列用ワゴン５０自体の奥行き寸法の変化する問題がある。
このため、商品陳列用ワゴン５０を図５に示すように壁５８に接近させて配置する場合には、商品載置体５３がワゴン本体５２の上面に水平に載置される状態にしても、商品載置体５３の後端が壁５８と干渉しないようにする空きスペースＤを設けておく必要がある。その結果、商品載置体５３を図５の実線に示す傾斜角度位置Ｐ１や２点鎖線に示す傾斜角度位置Ｐ２へ傾斜せた場合には、商品載置体５３の後端と壁５８に隙間が生じ、この隙間から商品載置体５３上の商品が落下されてしまう問題があるほか、見た目も悪いという不具合がある。
また、従来の商品陳列用ワゴン５０では、商品載置体５３の傾斜角度によって商品陳列用ワゴン５０自体の奥行き寸法が変化するため、例えば商品陳列用ワゴン５０を壁５８に沿って配置する場合、商品載置体５３と壁５８との間に隙間が生じないようにするには、商品載置体５３の傾斜角度が変わるごとに、商品陳列用ワゴン５０の位置を移動する必要があり、その作業が煩雑になるという問題がある。
【０００６】
本発明は上記のような従来の問題を解決するもので、本発明の目的は、ワゴン本体上の商品載置体の傾斜角度を変化させても奥行き寸法の変化しない商品陳列用ワゴンを提供することにある。
【０００７】
【課題を解決するための手段】
上記目的を達成するために本発明の請求項１に記載の商品陳列用ワゴンは、水平な上面を有するキャスタ付きのワゴン本体と、前記ワゴン本体の上面上に載置され青果等の商品を陳列する平盤状の商品載置体と、前記商品載置体の前後方向のほぼ中間箇所と前記ワゴン本体の上面の後端間に揺動可能に連結され、前記商品載置体を前記上面と一致する水平な姿勢にする第１の位置と前記商品載置体の前端を前記上面に接触さた状態で前記上面に対し任意の角度に傾斜させる第２の位置に変位可能に支持する支持機構と、前記ワゴン本体の上面の前部に設けられ、前記商品載置体の前端を係止することにより該商品載置体を前記第２の位置に保持する係止機構とを備えることを特徴とする。
【０００８】
請求項２に記載の発明は、前記ワゴン本体の前部の内側に位置する上面箇所に所定の範囲に亘り商品載置板が設けられていることを特徴とする。
請求項３に記載の発明は、前記ワゴン本体の上面の前端に商品脱落防止用の板部材が設けられていることを特徴とする。
請求項４に記載の発明は、前記第２の位置は傾斜角度の異なる複数の段階に調節されるようになっていることを特徴とする。
【０００９】
本発明においては、支持機構により商品載置体の前後方向のほぼ中間箇所とワゴン本体の上面の後端間を揺動可能に連結し、かつ係止機構により商品載置体を第１の位置または第２の位置に保持する構成にすることにより、商品載置体を第１の位置と第２の位置に変位させることができるとともに、商品載置体を第１の位置の水平姿勢及び第２の位置の傾斜姿勢に変位させても商品載置体の後端の位置がワゴン本体の後方へ突出することがない。その結果、商品陳列用ワゴン自体の奥行き寸法がほとんど変化することがなく、商品陳列用ワゴンを壁に沿って配置したり、商品陳列用ワゴン同士を背中合わせに配置しても商品載置体と壁間、あるいは商品載置体の後端間に大きな隙間が生じるのを防止できる。
また、本発明においては、ワゴン本体の前部の内側に位置する上面箇所に商品載置板が設けられることにより、商品載置体を傾斜させることでワゴン本体の前端箇所の上面が開いても陳列商品の落下を防止できる。
また、本発明においては、ワゴン本体の上面の前端部に商品脱落防止用の板部材を設けることにより、ワゴン上に陳列された商品の脱落を防止できる。
【００１０】
【発明の実施の形態】
以下、本発明の実施の形態について、図１〜図４を参照して説明する。
図１は本発明の実施の形態における商品陳列用ワゴンの斜視図、図２は本発明の実施の形態における商品陳列用ワゴンの分解斜視図、図３は本発明の実施の形態における商品陳列用ワゴンの説明用側面図である。
【００１１】
図１〜図３において、商品陳列用ワゴン１０は、ワゴン本体１１と、このワゴン本体１１上に傾斜可能に設けられた所定の表面積を有する四角形で平盤状の商品載置体１２と、商品載置体１２の支持機構１３、及び商品載置体１２を任意の傾斜角度に保持する係止機構１４等を備える。
【００１２】
前記ワゴン本体１１は、図１〜図３に示すように、所定の間隔離して平行に相対向させた所望高さを有する一対の略コ字状をなす側枠１１１と、この両側枠１１１間に側枠１１１の後部箇所及び中間箇所等の複数箇所において横架状態に固定された横部材１１２とから構成され、これにより、ワゴン本体１１上に商品載置体１２が載置可能な四角状の水平上面１１３が形成される。また、両側枠１１１の下端部２箇所には自在キャスタ１５がそれぞれ取り付けられている。
また、両側枠１１１の前端間には、商品の脱落を防止する板部材１６が差し渡し状態に設けられている。さらに、ワゴン本体１１の水平上面１１３の前端部には、水平上面１１３を所定の範囲に亘り覆う商品載置板１７が両側枠１１１間に差し渡し状態に設けられている。
【００１３】
前記商品載置体１２は、ワゴン本体１１上に青果等の商品を陳列するためのもので、所定の表面積を有する四角状の枠体１２１と、この枠体１２１にその上面全体を覆うように取り付けられた板材１２２から構成されている。
【００１４】
前記支持機構１３は、商品載置体１２の左右方向の幅寸法に対応して平行に配置された一対の支柱１３１と、この両支柱１３１間に差し渡し状態に固着された横部材１３２とから構成される。そして、この支持機構１３の両支柱１３１の一端は商品載置体１２を構成する枠体１２１の前後方向のほぼ中間位置する両側箇所にピン１８により揺動可能に連結され、更に、両支柱１３１の他端はとワゴン本体１１を構成する両側枠１１１にピン１９により揺動可能に連結されている。このような支持機構１３で商品載置体１２をワゴン本体１１に支持することにより、商品載置体１２をワゴン本体１１の水平上面１１３、即ち側枠１１１の上面と一致する水平な姿勢にする第１の位置と、商品載置体１２の前部下端をワゴン本体１１の水平上面１１３、即ち側枠１１１の上面に接触さた状態で水平上面１１３に対し任意の角度に傾斜させる第２の位置に変位可能にする。
【００１５】
前記係止機構１４は、商品載置体１２を第２の位置に保持するためのもので、ワゴン本体１１を構成する両側枠１１１の前端部内側箇所に設けた部材１４１及びこの部材１４１に上面に部材１４１の長手方向に沿って所定の間隔で穿設した複数の係止孔１４２と、商品載置体１２を構成する枠体１２１の両端に位置する前端下部に下方に向け突設した係止ピン１４３とから構成され、この係止ピン１４３を部材１４１の任意の係止孔１４２に係止することにより、商品載置体１２を第１の位置である水平姿勢（傾斜角度０）から第２の位置である係止孔１４２の位置に応じた角度で傾斜する姿勢に保持できるように構成されている。
なお、ワゴン本体１１の前端寄りにある係止孔１４２Ａは商品載置体１２を第１の位置である水平姿勢に保持するためのものである。
【００１６】
上記のように構成された商品陳列用ワゴン１０において、商品載置体１２の係止ピン１４３を係止孔１４２Ａに係止させた場合は、商品載置体１２は図３の２点鎖線に示す第１の位置Ｐ１、即ち傾斜角度０の水平姿勢に保持される。
また、商品載置体１２の係止ピン１４３を係止孔１４２Ａ寄りの係止孔１４２に係止させた場合は、商品載置体１２は図３の実線に示す第２の位置Ｐ２、係止孔１４２の位置に応じて設定された角度で傾斜する姿勢に保持される。
また、商品載置体１２の係止ピン１４３をワゴン本体１１の後部寄りの係止孔１４２に係止させた場合は、商品載置体１２は図３の２点鎖線に示す第２の位置Ｐ３、即ち、図３の実線に示す傾斜姿勢より更に大きく傾斜された姿勢に保持される。
なお、実際の商品陳列用ワゴン１０のワゴン本体１１に対する商品載置体１２の傾斜角度は、陳列される青果商品の種類に応じて０度、１５度、２２度、３０度などに調節できる構成になっている。
【００１７】
このように本実施の形態においては、商品載置体１２の前後方向のほぼ中間に位置する両側箇所を支持機構１３でワゴン本体１１の後部に揺動可能に支持することにより、商品載置体１２を第１の位置または第２の位置に変位可能にし、かつ係止機構１４により商品載置体１２を第１の位置または第２の位置に保持する構成にしたので、商品載置体１２が第１の位置Ｐ１である水平姿勢、及び第２の位置Ｐ２またはＰ３である傾斜姿勢に変位されても、図３に示すように、商品載置体１２の後端はワゴン本体１１の後端と一致する面２０から外方へ突出することがない。
その結果、ワゴン本体１１に対する商品載置体１２の傾斜角度を０度、１５度、２２度、３０度などのように調節しても商品陳列用ワゴン自体の奥行き寸法がほとんど変化することがない。このため、商品陳列用ワゴン１０を図３に示す面２０と一致する壁に沿って配置した状態で商品載置体１２の傾斜角度を１５度、２２度、３０度などのように調節しても商品載置体１２の後端と壁間に隙間が生じることがなく、かつ陳列商品の脱落も防止することができるとともに、従来のように商品載置体１２を変えるごとに商品陳列用ワゴンの位置を移動する手間も省けるという効果を有する。
また、本実施の形態によれば、ワゴン本体１１の前部の内側に位置する水平上面１１３の箇所に商品載置板１７が設けられることにより、商品載置体１２を傾斜させることでワゴン本体１１の前端箇所の上面１１３が開いても陳列商品がワゴン上から落下するのを防止できる。
また、本実施の形態によれば、ワゴン本体１１の水平上面１１３の前端部に商品脱落防止用の板部材１６が設けられることにより、ワゴン上に陳列された商品の脱落を防止できる。
【００１８】
図４は本発明の実施の形態における商品陳列用ワゴンを背中合わせに配置した場合の説明用側面図である。
この図４において、商品陳列用ワゴン１０のワゴン本体１１同志が背中合わせにして、互いが結合された状態に配置されている。
このように商品陳列用ワゴン１０同時が背中合わせに配置された状態で、両方の商品載置体１２が傾斜する姿勢に調節されても、商品載置体１２の後端同士が干渉されることがないとともに、両商品載置体１２の後端間に生じる隙間も僅かであり、見た目も良好で、陳列商品の落下も防止できる。
【００１９】
なお、上記実施の形態では、係止機構１４を、複数の係止孔１４２を有する部材１４１と、商品載置体１２の前端下部に突設した係止ピン１４３から構成し、この係止ピン１４３を係止孔１４２に係止することで商品載置体１２を傾斜角度を調節できるようにしたが、本発明はにれに限定されず、要は商品載置体１２を第１の位置及び第２の位置に保持できる構成のものであればよい。
【００２０】
【発明の効果】
以上の説明から明らかなように本発明の商品陳列用ワゴンによれば、支持機構により商品載置体の前後方向のほぼ中間箇所とワゴン本体の上面の後端間を揺動可能に連結して、商品載置体を第１の位置と第２の位置に変位できる構成にしたので、商品載置体を第１の位置の水平姿勢及び第２の位置の傾斜姿勢に変位させても商品載置体の後端の位置がワゴン本体の後方へ突出することがなくなり、商品陳列用ワゴン自体の奥行き寸法もほとんど変化することがない。このため、商品陳列用ワゴンを壁に沿って配置したり、商品陳列用ワゴン同士を背中合わせに配置しても商品載置体と壁間、あるいは商品載置体の後端間に大きな隙間が生じることがなく、この隙間からの陳列商品の落下を防止できる。
また、本発明によれば、ワゴン本体の前部の内側に位置する上面箇所に商品載置板が設けられることにより、商品載置体を傾斜させることでワゴン本体の前端箇所の上面が開いても陳列商品の落下を防止できる。
また、本発明によれば、ワゴン本体の上面の前端部に商品脱落防止用の板部材を設けることにより、ワゴン上に陳列された商品の脱落を防止できる。
【図面の簡単な説明】
【図１】本発明の実施の形態における商品陳列用ワゴンの斜視図である。
【図２】本発明の実施の形態における商品陳列用ワゴンの分解斜視図である。
【図３】本発明の実施の形態における商品陳列用ワゴンの説明用側面図である。
【図４】本発明の実施の形態における商品陳列用ワゴンを背中合わせに配置した場合の説明用側面図である。
【図５】従来における商品陳列用ワゴンの側面図である。
【符号の説明】
１０  商品陳列用ワゴン
１１  ワゴン本体
１１３  水平上面
１２  商品載置体
１３  支持機構
１４  係止機構
１５  自在キャスタ
１６  商品脱落防止用板部材
１７  商品載置板
【図１】
0004379835.tif 000002
【図２】
0004379835.tif 000003
【図３】
0004379835.tif 000004
【図４】
0004379835.tif 000005
【図５】
0004379835.tif 000006